【手続補正書】
【提出日】平成15年7月24日(2003.7.24)
【手続補正１】
【補正対象書類名】明細書
【補正対象項目名】特許請求の範囲
【補正方法】変更
【補正の内容】
【特許請求の範囲】
【請求項１】
画像形成部上に形成された画像をスクリーン上に投写して表示する投写型表示装置の前記画像形成部に形成される画像を処理するための画像処理装置であって、
前記画像形成部に形成された歪のない原画像が前記スクリーン上にあおり投写される場合に表示される画像の歪を補正するために、前記原画像の形状を補正した歪補正画像を作成して前記画像形成部に与える画像補正部を備え、
前記画像補正部は、前記歪補正画像の左側と右側の歪の補正量を表す水平補正パラメータに基づいて、前記画像形成部の各水平ラインごとに、前記歪補正画像の表示開始位置と表示終了位置とで挟まれた表示画素領域を決定するとともに、前記表示画素領域内の画素数と前記原画像の１ラインに含まれる画素数との関係から前記表示画素領域内の各画素と前記原画像の各画素との第１の対応関係を決定し、前記第１の対応関係に基づいて前記原画像から前記歪補正画像を作成する第１の補正部を備える、
画像処理装置。
【請求項２】
請求項１記載の画像処理装置であって、
前記水平補正パラメータは、前記歪補正画像の左側と右側の歪の補正量を表す少なくとも２つのパラメータを含み、
前記左側と右側の歪の補正量は、それぞれ独立して設定可能である、
画像処理装置。
【請求項３】
請求項１または請求項２記載の画像処理装置であって、
前記第１の補正部は、
前記歪補正画像の前記表示画素領域内の画素に対して、前記原画像に基づいた補間フィルタ処理を行う画素フィルタ処理部を備える、
画像処理装置。
【請求項４】
請求項１ないし請求項３のいずれかに記載の画像処理装置であって、
前記画像補正部は、さらに、
前記歪補正画像の上下方向の歪の補正量を表す垂直補正パラメータに基づいて、前記画像形成部における前記歪補正画像の表示開始ラインと表示終了ラインとで挟まれた表示ライン領域を決定するとともに、前記表示ライン領域内の各ラインと前記原画像の各ラインとの第２の対応関係を決定し、前記第２の対応関係に基づいて前記原画像から前記歪補正画像を作成する第２の補正部を備える、
画像処理装置。
【請求項５】
請求項４記載の画像処理装置であって、
前記第２の対応関係は、前記歪補正画像の中の略台形形状の有効画像部分の高さと前記原画像の高さとに基づいて決定され、前記略台形形状の小さい方の底辺に近いほど前記有効画像部分の１ラインに対応する前記原画像のライン数が多く、前記略台形形状の大きい方の底辺に近いほど前記有効画像部分の１ラインに対応する前記原画像のライン数が少なくなるような関係である、
画像処理装置。
【請求項６】
請求項５記載の画像処理装置であって、
前記第２の対応関係は、以下に示す式により決定される、画像処理装置。
【数１】
1999305715.tif 000001
ここで、ＭＬＡＤは前記原画像のラインを示し、ＲＳＹは前記原画像の高さに対する前記表示画像領域の高さの比を示し、ＬＡＤは前記表示ライン領域内のラインを示し、ＩＭＧＹは前記原画像の高さを示し、ＫＳＳＹは前記略台形形状の有効画像部分の高さを示す。
【請求項７】
請求項４ないし請求項６のいずれかに記載の画像処理装置であって、
前記第２の補正部は、
前記歪補正画像の前記表示ライン領域内のラインに対して、前記原画像に基づいた補間フィルタ処理を行うラインフィルタ処理部を備える、
画像処理装置。
【請求項８】
画像形成部上に形成された画像をスクリーン上に投写して表示する投写型表示装置の前記画像形成部に形成される画像を処理するための画像処理装置であって、
前記画像形成部に形成された歪のない原画像が前記スクリーン上にあおり投写される場合に表示される画像の歪を補正するために、前記原画像の形状を補正した歪補正画像を作成して前記画像形成部に与える画像補正部を備え、  前記画像補正部は、
前記原画像を縮小して縮小画像を生成する縮小部と、
前記縮小画像の各水平ラインを、前記歪補正画像の左側と右側の歪の補正量を表す水平補正パラメータおよび各水平ラインの位置に応じた１以上の拡大率でそれぞれ拡大するとともに、前記左側と右側の歪を補正することによって前記歪補正画像を作成する水平補正部と、を備える、
画像処理装置。
【請求項９】
請求項８記載の画像処理装置であって、
前記縮小画像の水平幅は、前記歪補正画像の中の略台形形状の有効画像部分の最小の水平幅に等しい、
画像処理装置。
【請求項１０】
請求項８または請求項９記載の画像処理装置であって、
前記水平補正パラメータは、前記歪補正画像の左側と右側の歪の補正量を表す少なくとも２つのパラメータを含み、
前記左側と右側の歪の補正量は、それぞれ独立して設定可能である、
画像処理装置。
【請求項１１】
請求項８ないし請求項１０のいずれかに記載の画像処理装置であって、
前記水平補正部は、
前記歪補正画像の前記表示画素領域内の画素に対して、前記縮小画像に基づいた補間フィルタ処理を行う画素フィルタ処理部を備える、
画像処理装置。
【請求項１２】
請求項８ないし請求項１１のいずれかに記載の画像処理装置であって、
前記縮小画像の垂直方向の高さは、前記歪補正画像の中の略台形形状の有効画像部分の垂直方向の高さ以下であり、
前記画像補正部は、さらに、
前記歪補正画像の上下方向の歪の補正量を表す垂直補正パラメータに基づいて、前記画像形成部における前記歪補正画像の表示開始ラインと表示終了ラインとで挟まれた表示ライン領域を決定するとともに、前記表示ライン領域内の各ラインと前記縮小画像の各ラインとの対応関係を決定し、前記対応関係に基づいて前記縮小画像を拡大して前記歪補正画像を作成する垂直補正部を備える、
画像処理装置。
【請求項１３】
請求項１２記載の画像処理装置であって、
前記対応関係は、前記画像形成部に歪のない画像が形成されたとしたときに前記スクリーン上にあおり投写される場合に発生する垂直方向の歪を打ち消すように、前記縮小画像から前記歪補正画像への垂直方向の拡大率を垂直方向の位置ごとに調整することにより、前記歪補正画像の中の略台形状の有効画像部分が作成されるように決定される、
画像処理装置。
【請求項１４】
請求項１３記載の画像処理装置であって、
前記対応関係は、前記歪補正画像の中の略台形形状の有効画像部分の高さと前記縮小画像の高さとに基づいて決定され、前記略台形形状の小さい方の底辺に近いほど前記有効画像部分の１ラインに対応する前記原画像の実質的なライン数が多く、前記略台形形状の大きい方の底辺に近いほど前記有効画像部分の１ラインに対応する前記原画像の実質的なライン数が少なくなるような関係である、
画像処理装置。
【請求項１５】
請求項１４記載の画像処理装置であって、
前記対応関係は、以下に示す式により決定される、画像処理装置。
【数２】
1999305715.tif 000002
ここで、ＭＬＡＤは前記原画像のラインを示し、ＬＡＤは前記表示ライン領域内のラインを示し、ＩＭＧＹは前記原画像の高さを示し、ＫＳＳＹは前記略台形形状の有効画像部分の高さを示し、ＭＥＭＹは前記縮小画像の高さを示す。
【請求項１６】
請求項１２ないし請求項１５のいずれかに記載の画像処理装置であって、
前記垂直補正部は、
前記歪補正画像の前記表示ライン領域内のラインに対して、前記縮小画像に基づいた補間フィルタ処理を行うラインフィルタ処理部を備える、
画像処理装置。
【請求項１７】
画像形成部上に形成された画像をスクリーン上に投写して表示する投写型表示装置の前記画像形成部に形成される画像を処理するための画像処理方法であって、
前記画像形成部に形成された歪のない原画像が前記スクリーン上にあおり投写される場合に表示される画像の歪を補正するために、前記原画像の形状を補正した歪補正画像を作成して前記画像形成部に与える画像補正工程を備え、
前記画像補正工程は、前記歪補正画像の左側と右側の歪の補正量を表す水平補正パラメータに基づいて、前記画像形成部の各水平ラインごとに、前記歪補正画像の表示開始位置と表示終了位置とで挟まれた表示画素領域を決定するとともに、前記表示画素領域内の画素数と前記原画像の１ラインに含まれる画素数との関係から前記表示画素領域内の各画素と前記原画像の各画素との第１の対応関係を決定し、前記第１の対応関係に基づいて前記原画像から前記歪補正画像を作成する第１の補正工程を備える、
画像処理方法。
【請求項１８】
画像形成部上に形成された画像をスクリーン上に投写して表示する投写型表示装置の前記画像形成部に形成される画像を処理するための画像処理方法であって、
前記画像形成部に形成された歪のない原画像が前記スクリーン上にあおり投写される場合に表示される画像の歪を補正するために、前記原画像の形状を補正した歪補正画像を作成して前記画像形成部に与える画像補正工程を備え、
前記画像補正工程は、
前記原画像を縮小して縮小画像を生成する縮小工程と、
前記縮小画像の各水平ラインを、前記歪補正画像の左側と右側の歪の補正量を表す水平補正パラメータおよび各水平ラインの位置に応じた１以上の拡大率でそれぞれ拡大するとともに、前記左側と右側の歪を補正することによって前記歪補正画像を作成する水平補正工程と、を備える、
画像処理方法。